(57)【要約】      （修正有）【課題】通行の邪魔にならない省スペースであり、尚且つ、不要時に容易に移動出来、盗難防止も備えた、移動式折り畳みゴミステーションを提供する。【解決手段】垂直な後部固定版３及び右側側部可動板４１、４２、左側側部可動板及び前部可動板６及び上部固定版２１および開閉自在な上部可動板２２およびフラットバー３１及び該フラットバー３１の後方突出部３４を折り曲げて、該突出部３４の底面に取り付けたキャスター３３よりなる。右側側部可動板４１、４２および左側側部可動板は、ヒンジによって中折式に折り畳み可能であり、該上部可動板２２はヒンジにより上部固定版２１に回動自在に枢着されて折り畳める。【選択図】図７
0003175157.tif 000002
【実用新案登録請求の範囲】
【請求項１】
垂直な後部固定版３及び右側側部可動板４１、４２、左側側部可動板５１、５２及び前部可動板６及び上部固定版２１および開閉自在な上部可動板２２およびフラットバー３１及び該フラットバー３１の後方突出部３４を折り曲げて、該突出部３４の底面に取り付けたキャスター３３より構成されたゴミステーション１であって、該右側側部可動板４１、４２および左側側部可動板５１、５２は、ヒンジによって中折式に折り畳み可能であり、該上部可動板２２はヒンジにより上部固定版２１に回動自在に枢着されて折り畳める構造であり、該右側側部可動板、左側側部可動板、前部可動板、上部可動板を折り畳む構造は、右側側部可動板４１、４２、左側側部可動板５１、５２を中折式に折り畳んだ上に、前部可動板６を重ねて折り畳み、該前部可動板を折りたたんだ上に該上部可動板を重ねて折りたたむ構造であって、該折り畳んだゴミステーションを移動させる構造は、該折り畳んだ本体を後ろ側に傾ける事によって、キャスター３３を地面に着地、直立させてゴミステーション本体の長手方向移動を可能にしてなることを特徴とする移動式ゴミステーション。
【考案の詳細な説明】
【技術分野】
【０００１】  本考案は家庭から出たゴミ袋を貯留する折り畳み式ゴミステーションの構造に関するものであり、更に詳しくは、折り畳んで移動できるゴミステーションの構造に関するものである。
【背景技術】
【０００２】  家庭ゴミは各地区ごとに収集場所を設け、最大半日スパンで収集車が回収する。その間、ゴミ袋は、ごみ収集場所に野ざらし状態で放置されたり、あるいはゴミ収集ネットの中に容れられて放置されている。
放置されたゴミ袋はカラス・猫等によって食い破られて、中のゴミが周辺に散乱させられ、悪臭・不衛生の原因にもなっている。
このような問題に鑑みて、カラス・猫等から隔離できるような、いわゆる「ゴミステーション」と呼ばれるべきゴミ袋の貯留施設が各地に設けられているが、これらゴミステーションの問題点は、設置箇所に据付け固定式であるうえに、ある程度の場所をとり、通行の邪魔になることである。
かかる問題点を解決するために、折りたたみ可能なゴミステーションに関する発明考案が特許文献１〜３に開示されている。【０００３】  特許文献１においては、折りたたんだ後、移動させるのが難しい。持ち抱える或いは台車等に載せて運ぶ必要がある。
特許文献２及び特許文献３においては、何れも本体を固定して使う事を前提にしており、移動の際は据付時と同等の手間を必要とする。
以上特許文献１〜３の発明は、いずれも折りたたみ構造に主眼が置かれており、折りたたんだ後の移動が困難である。すなわち、前面通路に余裕が無い、近隣世帯から美観的・異臭等苦情がある場合、あるいは不要時に邪魔になる場合、例え折り畳み構造であっても撤去が必要な場合がある。かかる目的に対して上記特許分権１〜３の技術は対応できない欠点がある。
不要時即ちごみの収集日でないときには容易に移動させることができる構造のゴミステーションが求められているのが現状である。
【先行技術文献】
【特許文献】
【０００４】
【特許文献１】特開  ２００３−１１８８０１号公報
【特許文献２】特願  平１−３０７２１号公報
【特許文献３】特許  第４０２８３０３号公報
【考案の概要】
【考案が解決しようとする課題】
【０００５】  本考案は、かかる問題点に鑑みて為されたものであって、その目的は、折りたたみゴミステーションを不要時即ちごみの収集日でないときには、容易に折り畳み、移動させることが出来、尚且つ必要に応じて盗難防止用に係留出来る構造を提供する事である。
【課題を解決するための手段】
【０００６】  本考案は下記の構成からなる。
すなわち、
垂直な後部固定版３及び右側側部可動板４１、４２、左側側部可動板５１、５２及び前部可動板６及び上部固定版２１および開閉自在な上部可動板２２およびフラットバー３１及び該フラットバー３１の後方突出部３４を折り曲げて、該突出部３４の底面に取り付けたキャスター３３より構成されたゴミステーション１であって、該右側側部可動板４１、４２および左側側部可動板５１、５２は、ヒンジによって中折式に折り畳み可能であり、該上部可動板２２はヒンジにより上部固定版２１に回動自在に枢着されて折り畳める構造であり、該右側側部可動板、左側側部可動板、前部可動板、上部可動板を折り畳む構造は、右側側部可動板４１、４２、左側側部可動板５１、５２を中折式に折り畳んだ上に、前部可動板６を重ねて折り畳み、該前部可動板を折りたたんだ上に該上部可動板を重ねて折りたたむ構造であって、該折り畳んだゴミステーションを移動させる構造は、該折り畳んだ本体を後ろ側に傾ける事によって、キャスター３３を地面に着地、直立させてゴミステーション本体の長手方向移動を可能にしてなることを特徴とする移動式ゴミステーション。【０００７】  前記フラットバー３１は折り畳んだ時に上部可動板を開いても転倒させない役割をし、また本体を後ろ側に傾けると、突出部３４の底面に取り付けたキャスター３３が地面に垂直に着地するので、ここで本体を長手方向に押してやることで、本体をキャスターに乗せて移動させることが出来る。【０００８】  上部固定版２１の両端部に取っ手を設けて、移動時、取っ手を持って押してやることで本体をより安定して移動させることが出来る。なお取っ手には、盗難防止の鍵及びチェーンを取付けることも出来る副次的効果も併せ持つ。【０００９】  側部可動板の上側は前部可動板に向けて傾斜を付けていろ、これはゴミ袋の出し入れを容易にする為と、組み立て時に側部可動板が中折れしないようにするロック機構の移動を容易にする為である。
【考案の効果】
【００１０】▲１▼折り畳んだ状態で移動出来る移動式折り畳みゴミステーションである。
▲２▼折り畳んだ状態・折り畳み及び組み立て過程の状態でも転倒しない移動式折り畳みゴミステーションである。
▲３▼折り畳み及び組み立てが容易な移動式折り畳みゴミステーションである。
▲４▼側部が中折れ防止ロック機構を有した移動式折り畳みゴミステーションである。
▲５▼構造が簡単な移動式折り畳みゴミステーションである。
▲６▼使用時・不要時共に盗難を防ぐ工夫も備えた移動式折り畳みゴミステーションである。
【図面の簡単な説明】
【００１１】
【図１】実施形態に係る移動式折り畳みゴミステーションを組み立てた状態における概略斜視図である。
【図２】実施形態に係る移動式折り畳みゴミステーションを折り畳んだ状態における概略斜視図である。
【図３】実施形態に係る移動式折り畳みゴミステーションを組み立てた状態における概略左側面図である。
【図４】実施形態に係る移動式折り畳みゴミステーションを折り畳んだ状態における概略左側面図である。
【図５】実施形態に係る移動式折り畳みゴミステーションの組み立てた状態における上から見た断面概略図である。
【図６】実施形態に係る移動式折り畳みゴミステーションの折り畳む過程状態における横から見た概略図である。
【図７】実施形態に係る移動式折り畳みゴミステーションを移動する状態における横から見た概略図である。
【考案を実施するための形態】
【００１２】  以下本考案の実施の形態を示す図面に基づき説明する。ただし、本考察は多くの異なる形態による実施が可能であり、以下に示す実施形態、実施例に狭く限定されるものではない。
【００１３】  図１は、本考案の移動式折り畳みゴミステーション１を組み立てた時の全体の斜視図である。
移動式折り畳みゴミステーション１は後部固定版３、側部可動板４１、４２、５１、５２、前部可動板６、上部固定版２１、、上部可動板用取っ手２３、移動用取っ手２４からなり、上部可動板２２はヒンジ部２５によって上部２１に回動自在に枢着されており、簡易に折りたたみできる構造になっている。
後部固定版３、側部可動板４１、４２、５１、５２、前部可動板６、上部固定番２１、上部可動板２２は金属製の枠の内側に金網等を取り付けたものであるが、必要に応じて、金網に変えて樹脂や金属板を取り付けても良い。
上部可動板２２は上部可動板用取っ手２５を掴んで容易に開閉できる。
移動用取っ手２４には、把持し易いように開口部を有している。そして開口部には、盗難防止用鍵及びチェーンを適宜取付できる。
【００１４】  図２は、図１を折り畳んだ時の斜視図であり、図３は図１を折り畳んだ時の側面図である。
図２、３において、前部６の下端部に取り付けた前部移動用ローラー６１によって、前部を折り畳む時に、ローラー６１が着地、回転することで、前部６の下端が地面にすれることなくスムースに折り畳み出来る。そして尚且つローラー６１の存在は、側部可動板４１、４２、５１、５２の下部が地面と接触することを回避させる役割もある。
フラットバー３１の着地側先端部は、図に示すように、先端が加工されて刃先になっているので、ローラー６１は刃先からフラットバーにスムースに載ることが出来、前部全体を奥まで押し込んでフラットバーの上に載せることが出来る。
次に、図３に示すように、上部可動板２２を可動させて下方に垂らして、折り畳みが完了する。
折り畳んだ後は、通行の邪魔にならない幅になる。また上部可動板２２が前部６を押さえているので、前部可動板６、側部可動板４１、４２、５１、５２が開くのを防止できる。
【００１５】  中折式の側部可動板４１、４２および５１、５２はヒンジ４４で回動自在に繋がれているが、図４、５は、ゴミステーション組立て時、中折式の側部可動板４１、４２、５１、５２が中折れするのを防ぐためのロック機構４３の説明図である。
本図のロック機構は、図に示すように、側部可動板４１、４２および側部可動板５１、５２の繋ぎ目をまたぐように、半割りしたパイプを嵌めこんで固定したもので、折り畳む時は、半割りパイプを４１、４２あるいは５１、５２の一方の側へスライドさせることで、側部可動板４１、４２および側部可動板５１、５２の中折が可能になる。
なお、本考案のロック機構は、本例のみに限定されるものではなく、同様の効果が得られるものであれば他の機構でも良い
【００１６】  図６は、折り畳んだ時の転倒防止機構を説明する図である。
本考案では、フラットバー３１の後方突出部３４の底面にはキャスター３３が取り付けられているが、フラットバーを地面に載置した時、キャスターが地面に接地しない角度に後方突出部３４は折り曲げられているので、ゴミステーションを組み立てた時にキャスターの存在は邪魔にならない。そして折り畳んだものが後方に傾いた時には、キャスター部が接地して転倒防止の役目をする。
尚、取っ手２４は、上部可動板２２を上に上げた時に後に倒れるのを防ぐストッパーの働きも有している。なお３２は、ゴミステーション１を地面に固定する為、アンカーボルトを通して固定するための穴である。
【００１７】  図７において、折り畳んだ状態で本体１を後部方向に傾けることにより、斜めに配したキャスター３３が垂直になり地面に接して、長手方向への移動が可能となる。併せて、上部移動用取っ手２４が地面に対して水平となる事で、長手方向への移動の際、本体１を掴んで安全に移動し易くなる。
【００１８】  以上の通り、本考察によると、通行の邪魔にならない省スペースであり。尚且つ、不要時すなわちごみの収集日でないときに容易に移動できる移動式折り畳みゴミステーションである。又、使用時・不要時共に盗難を防ぐ工夫も備えている。
【符号の説明】
【００１９】１    移動式折り畳みゴミステーション
２１  上部固定板
２２  上部可動板
２３  上部可動板用取っ手
２４  移動用取っ手
２５  ヒンジ横
３    後部固定板
３１  フラットバー
３２  アンカー用穴
３３  斜めに配したキャスター
４１  側部可動板左後
４２  側部可動板左前
４３  ロック機構左
４４  ヒンジ縦
５１  側部可動板右後
５２  側部可動板右前
５３  ロック機構右
６    前部可動板
６１  前部移動用ローラー
【図１】
0003175157.tif 000003
【図２】
0003175157.tif 000004
【図３】
0003175157.tif 000005
【図４】
0003175157.tif 000006
【図５】
0003175157.tif 000007
【図６】
0003175157.tif 000008
【図７】
0003175157.tif 000009